(57)【要約】【課題】  導入するにあたって大掛かりな島の改築を行うことなく、吸引ユニットを複数台接続して形成した煙吸引装置を遊技台の上方位置に、簡易な作業で取付けることができ、然も煙を煙検知センサで検知した時（時点）下流側の全てが駆動するため吸引力がアップする遊技島の煙吸引装置を提供する。【解決手段】  遊技島の煙吸引装置において、煙を吸引するよう開口した吸引口と、煙を吸引する吸引ファンモータと、煙を検知する煙検知センサとを備えた吸引ユニットを上記遊技島の上方位置に配列方向に沿って複数台接続することによって煙吸引装置と成し、吸引ユニットの煙検知センサで煙を検知すると、検知した当該吸引ユニットを含む下流側に備えた全ての吸引ユニットの吸引ファンモータが駆動し、一定時間後に吸引ユニットの吸引ファンモータが停止する構成とした。【選択図】        図２
2005270184.tif 000002
【特許請求の範囲】
【請求項１】
複数台の遊技台と遊技媒体貸出機とが配設された遊技島の上方位置に備える遊技島の煙吸引装置において、
煙を吸引するよう開口した吸引口と、煙を吸引する吸引ファンモータと、煙を検知する煙検知センサとを備えた吸引ユニットを上記遊技島の上方位置に配列方向に沿って複数台接続することによって煙吸引装置と成し、
上記吸引ユニットの煙検知センサで煙を検知すると、検知した当該吸引ユニットを含む下流側に備えた全ての吸引ユニットの吸引ファンモータが駆動し、一定時間後に吸引ユニットの吸引ファンモータが停止する構成としたことを特徴とする遊技島の煙吸引装置。
【発明の詳細な説明】
【技術分野】
【０００１】
本発明は、遊技台と遊技媒体貸出機とが配設された遊技島の上方位置に、煙を吸引するよう開口した吸引口と、煙を吸引する吸引ファンモータと、煙を検知する煙検知センサとを備えた吸引ユニットを配列方向に沿って複数台接続して構成した煙吸引装置に関する。
【背景技術】
【０００２】
遊技店で遊技する遊技客は、煙草を吸いながら遊技する人が多いため、煙吸引装置（空気清浄装置）を備えている。通常、煙吸引装置は天井に埋設（埋込型）されている。
しかし、混雑している遊技島において多数の遊技客が喫煙すると、天井に備えた煙吸引装置だけでは吸引しきれず、その結果、煙草を吸わない遊技客の衣服等に煙草の匂いが付着してしまい、不快感（嫌な思い）を与えていた。
そこで、天井以外の場所（幕板や遊技島上部等）に備えることができる煙吸引装置が提供されている。例えば、特許文献１から特許文献４に開示されている。
【特許文献１】特開平  ６−０１５０５７
【特許文献２】特開平  ８−０５２２６６
【特許文献３】特開平  ９−０３８３１６
【特許文献４】特開平１０−３０５１６４
【０００３】
上記した特許文献１の「パチンコ遊技場における装飾用欄間兼用空気清浄装置」は、空気清浄装置をパチンコ機の装飾用欄間に備えている。また、特許文献２の「遊技場空気清浄装置」は、空気清浄装置を幕板に備えている。また、特許文献３の「遊技機用集煙装置」は集煙装置を幕板に備えている。また、特許文献４の「紫煙拡散防止装置」を遊技機の上部に備えている。なお、上述した装置を以下においては、煙吸引装置として説明する。
【発明の開示】
【発明が解決しようとする課題】
【０００４】
しかしながら、上記した特許文献によれば、幕板や遊技島上部等に備えるためには大掛かりな島の改築（幕板付近の改造）をする必要があった。また、一箇所に設けたダクトによって全ての煙吸引装置から吸引するため離れた側においては吸引力が弱くってしまい、遊技島に充満した煙を吸引することができなかった。吸引力を上げるためには、大型で、高価なダクトを島端に設置しなくてはならない。さらに、上記した何れの煙吸引装置も、遊技島に喫煙者が多く居る、居ないにもかかわらず、常に稼動していた。即ち、喫煙者がさほどいない遊技島での稼動は無意味であり、常時駆動することにより、空気清浄装置から室内の空気も吸い込まれることで、室内の温度が下がったり、上がったりしてしまっていた。
昨今、法令（健康増進法）により、煙草の煙の分煙化が臨まれており、パチンコ遊技店においても対象となるため、その対策が要望されている。今まで設置された空気清浄装置では煙草の煙に含まれる一酸化炭素や発ガン性物質等のガス状のものは除去できなかった。
【０００５】
本発明は、導入するにあたって大掛かりな島の改築を行うことなく、吸引ユニットを複数台接続して形成した煙吸引装置を遊技台の上方位置に、簡易な作業で取付けることができ、然も煙を検知した時のみ下流側全てが一斉に駆動、一定時間後に吸引ユニットの吸引ファンモータが停止するため吸引力がアップする、遊技島の煙吸引装置を提供する。
【課題を解決するための手段】
【０００６】
本発明の構成は、複数台の遊技台と遊技媒体貸出機とが配設された遊技島の上方位置に備える遊技島の煙吸引装置において、
煙を吸引するよう開口した吸引口と、煙を吸引する吸引ファンモータと、煙を検知する煙検知センサとを備えた吸引ユニットを上記遊技島の上方位置に配列方向に沿って複数台接続することによって煙吸引装置と成し、上記吸引ユニットの煙検知センサで煙を検知すると、検知した当該吸引ユニットを含む下流側に備えた全ての吸引ユニットの吸引ファンモータが駆動し、一定時間後に吸引ユニットの吸引ファンモータが停止する構成としたことによって、達成される。
【発明の効果】
【０００７】
本発明の構成によれば、吸引ユニットを複数台接続することによって形成した煙吸引装置を遊技台の上方位置に、簡易な作業で取付けることができるため、導入する際、大掛かりに島を改築（幕板付近の改造）する必要がなく、短期間で取付けることができる。また、各吸引ユニットの煙検知部の検知に基づいて下流側全てが駆動する構成（一定時間経過後停止する）としたことによって、煙吸引装置の吸引力が増すことで、遊技島に充満した立ち昇る煙草の煙を残さず吸引することができる。よって、遊技客に不快感を与えることがない。
【発明を実施するための最良の形態】
【０００８】
以下、本発明の遊技島の煙吸引装置の好適な実施形態を図に基づいて説明する。
図１は煙吸引装置を構成する一吸引ユニットの内部を示す外観図であり、図２は同上構成を示す外観斜視図であり、図３は煙吸引装置を遊技島の上方位置に取付けた状態図である。
【実施例１】
【０００９】
図３のように遊技店の遊技島１には、遊技台３と遊技媒体貸出機５とが配設されている。遊技台３がパチンコ台であれば、隣接する遊技媒体貸出機５はパチンコ玉貸機が配設されることになり、遊技台がスロットマシン台であれば、隣接する遊技媒体貸出機はメダル貸機が配設されることになる。ここでは、パチンコ台３とパチンコ玉貸機５とが配設されている。
【００１０】
本発明の煙吸引装置１０は、煙を吸引するよう開口した吸引口１３と、煙を吸引する吸引ファンモータ１５と、煙を検知する煙検知センサ１７とを備えた吸引ユニット１１を複数台接続することによって形成される。このように短小の長さのユニット形態の吸引ユニット１１とすることで、短い遊技島、長い遊技島においても対応することができる。
なお、吸引ユニット１１は、たとえば遊技台一台の幅と略同じ長さ（寸法）の短小の長さに形成されているが、遊技台二台の長さに形成したものであっても良い。
【００１１】
本発明の要旨である、煙吸引装置１０の構成について詳しく説明する。
吸引ユニット１１（一つユニット）は、略長方形に形成され、内部に風力を調整する傾斜姿勢の風力調整パネル１２と、一端１１ａに開口した凹連結部１１ｂ（凹部形状）と、その下部に煙を検知する煙検知センサ１７と、下方前面に沿って開口し、煙を吸引する細長の吸引口１３と、他端１１ｃに下流側ユニットと連結する凸連結部１１ｄ（凸部形状）と、他端１１ｃの内部に煙を吸引する吸引ファンモータ１５と、から大略構成されている。
このように構成した吸引ユニット１１を凹連結部１１ｂ及び凸連結部１１ｄによって接続することによって接続された一本の煙吸引装置１０の構成となる。
【００１２】
煙検知センサ１７は、煙草の煙を自動的に検知するためのものであり、また、強制スイッチ１７ａが設けられていて手動動作（必要に応じて）にて煙吸引装置１０の各吸引ユニット１１を稼動させることもできる。
このように、煙検知センサ１７にて煙草の煙を検知すると吸引ファンモータ１５が一定時間駆動するように制御部（不図示）にて制御し、細長の吸引口１３から立ち昇った煙を吸引することができる。また、内部に設けた風力調整パネル１２によって吸引した煙をスムーズ、均等に吸い込むことができる。なお、図示しないが細長の吸引口１３に煙検知センサ１７の検知に応じて開閉する開閉シャツターを設けることで、さらに吸引力がアップする。
【００１３】
図２に示すように、本発明の煙吸引装置１０の各吸引ユニット１１の前面には、ＬＥＤドットマトリクスから成る広告表示部１９（他にＥＬ、ディスプレイ等）の表示装置が傾斜して取付けられている。この広告表示部１９は、静止画又は動画表示するように成し、パチンコ店の広告、宣伝を表示（・・明日はファン感謝ディーです・・等）する。また、一本に構成された煙吸引装置１０にてランニング表示するようにしても良い。
【００１４】
次に、本発明の吸引ユニット１１を遊技台３の上方位置に接続（取付け）する構成について説明する。
図３は、両面島の遊技島１の場合を示し、該遊技島には一方側（手前側）及び、他方側（奥側）の各々両側の遊技台３の上方位置に本発明の吸引ユニット１１を複数台接続して取付けることになる。つまり、遊技島に設置された遊技台３と同じ数の吸引ユニット１１が取付けられる。なお、片面島の遊技島の場合は、一方側のみとなる。
【００１５】
各遊技台３の上方位置において、吸引ユニット１１の他端１１ｃの凸連結部１１ｄに次ユニットとなる吸引ユニット１１の一端１１ａの凹連結部１１ｂとを嵌め合うように作業して各々の吸引ユニット１１を順次、遊技台３配列方向に沿って接続して取付けていく。このように短小の吸引ユニット１１を複数台接続することによって煙吸引装置１０が構成されるため、遊技島１の上方位置おける取り付け作業であっても、簡易にしかも短時間のうちに取付けることができる。また、図３に示すように遊技島１の略中央付近には複数台接続された各吸引ユニット１１からの煙を集塵浄化する全熱交換器２０が隙間板１ａの上部に設けられ、吸引した煙は接続部１１ｅを介して全熱交換器２０内に送り込まれる。
全熱交換器２０は、室内の温度、湿度に合わせた空気中のエネルギーを外部に逃がさず、室内の空気を入れ替えることができる。また、今まで設置した空気清浄装置で除去できなかった煙草の煙に含まれる一酸化炭素や発ガン性物質等のガス状のものも除去でき、室内の空気も排出されることがなくなるため、室内の温度が下がったり、上がったりしてしまうことがない。
上述の説明においては、各吸引ユニット１１を遊技島１の上方位置に接続（取付け）する構成としたが、遊技台の直上の幕板や呼出ランプが取付くランプ板の位置に接続（取付け）する構成としても良い。
【００１６】
本発明の煙吸引装置１０は、上記した構成に加えて煙吸引動作（作用）においても要旨となる構成を有している。
ここで説明する下流側とは、中央に位置する全熱交換器２０に近い方が下流側であり、遊技島の島端側寄りが上流側となる。
上記した個々の吸引ユニット１１は、個々の煙検知センサ１７の検知により駆動することは無論のこと、何れかユニットの煙検知センサ１７で検知した際、検知した以降の下流側に備えた全ての吸引ユニット１１の吸引ファンモータ１５が一定時間（タイマー制御等）、一斉に駆動するように動作制御する。このとき、検知していない上流側の吸引ユニット１１の吸引ファンモータ１５は駆動しないため、下流側における吸引力がアップすることに成る。よって、常時駆動させ、全長にわたって吸引パイプ等にて吸引する従来の装置に比べて吸引力が増すことになり、立ち昇る煙草の煙を残さずに吸引することができる。
【００１７】
図４において複数台接続した煙吸引装置１０の煙吸引動作（作用）を説明する。
たとえば、Ｎ番目の遊技台３に座った遊技客が喫煙者であり、煙草を吸うとその遊技台３の上方位置する吸引ユニット１１の煙検知センサ１７にて煙を検知すると、その吸引ユニット１１の吸引ファンモータ１５が駆動し、その駆動に伴って下流側に接続されている全ての吸引ユニット１１の吸引ファンモータ１５が一斉に駆動し始め、各々吸引ファンモータ１５が一定時間作動（たとえば、二分間）する。吸引口１３から吸引した煙は各々の吸引ユニット１１を通っていき中央付近の全熱交換器２０内に送り込まれ、室内の空気が入れ替わる。なお、一定時間作動している間に、他の吸引ユニット１１の煙検知センサ１７が煙を検知すると、他の吸引ユニット１１も同様に検知した時点から一定時間作動するようになっている。このように本発明の各吸引ユニット１１は、煙検知センサ１７にて煙を検知した時のみ、一定時間駆動制御し、一定時間経過後は停止するよう制御する。
なお、検知した吸引ユニット１１は、一定時間駆動し、その駆動に伴って下流側に接続されている全ての吸引ユニット１１の吸引ファンモータ１５が駆動するが、時間経過後は駆動していた全ての吸引ユニット１１の吸引ファンモータ１５の駆動が停止（一斉又は順番に）することになる。よって、常時駆動しないため、室内の温度が下がったり、上がったりすることがなくなり、室内の温度が一定し、省エネとなる。
【００１８】
上記した遊技店においては、昨今の法令（健康増進法）により、分煙化が臨まれており、本発明の煙吸引装置１０の構成、及び煙吸引動作によって、煙草の煙を分煙化することが可能となる。また、全熱交換器２０によって、今までのように外部への排気がなくなる。
【図面の簡単な説明】
【００１９】
【図１】煙吸引装置を構成する一吸引ユニットの内部を示す外観図である。
【図２】同上構成を示す外観斜視図である。
【図３】煙吸引装置を遊技島の上方位置に取付けた状態を示す状態図である。
【図４】本発明の煙吸引装置を遊技島に設置した平面図である。
【符号の説明】
【００２０】
３    遊技台
５    遊技媒体貸出機
１０  煙吸引装置
１１  吸引ユニット
１３  吸引口
１５  吸引ファンモータ
１７  煙検知センサ
【図１】
2005270184.tif 000003
【図２】
2005270184.tif 000004
【図３】
2005270184.tif 000005
【図４】
2005270184.tif 000006